(57)【要約】【課題】雨や雪の日に乳幼児を自動車内のチャイルドシートに座らせる場合や荷物を入れる場合に、両手を自由に使うことができ、なおかつ雨に濡れないために、それまで開いていた傘をそのまま自動車の屋根又は扉金属部分に自在の角度で自立吸着させることができる磁石付自在保持具および傘であり、また、傘を閉じた状態では、建物、電車等の壁又は天井の金属部分に保持させることができる、市販のＪ型傘の柄に簡単に自由に着脱できる磁石付自在保持具を提供する。【解決手段】市販のＪ型の傘の柄部分に、磁石付の保持具を着脱する。磁石付自在保持具は、３６０°の自在角度を保持できる回動規制機構とばねを備えた着脱部分とそれに固定された強力磁石で構成されており、必要に応じて市販のＪ型傘の柄に自由に着脱させることができることを特徴とする。【選択図】図１
2007054566.tif 000002
【特許請求の範囲】
【請求項１】
市販のほとんどのＪ型傘の柄に取り付け可能な自在保持具の開口部は、ばねにより開閉する機構となっており、ワンタッチで開放、取付ができる、また、傘の柄と接触する内輪部分には、回動規制機構がほどこされており、自在の方向に保持することができることを特徴とする着脱式磁石付自在保持具および傘。
【請求項２】
保持具は、磁石による吸着面を備えており、傘を開いた状態で、自動車の屋根または扉金属部分に自在の角度で吸着可能であることを特徴とする請求項１に記載の着脱式磁石付自在保持具。
【請求項３】
保持具は、磁石による吸着面を備えており、傘を閉じた状態で、建物や電車等の壁又は天井の金属部分に自在の角度で吸着させ保持することを特徴とする請求項１に記載の着脱式磁石付自在保持具。
【請求項４】
Ｊ型傘の柄に製造過程で請求項１の磁石付自在保持具が取付けられた傘。
【請求項５】
回動規制機構とばね式開閉部分により着脱可能な磁石つき吸着装置。
【発明の詳細な説明】
【技術分野】
【０００１】本発明品は、市販のＪ型の傘の柄に自由に取付可能で、あらゆる角度の金属製被取付面に取付可能なＪ型傘用磁石付自在保持具である。傘を開いた状態で自動車の屋根又は扉金属部分に垂直または自在の角度で自立させることができる、傘を閉じた状態で建物、電車等の壁又は天井の金属部分に平行または垂直方向に安定保持させることができる着脱式磁石付自在保持具および傘である。
【背景技術】
【０００２】例えば、雨天時に保護者が一人で乳幼児を自動車のチャイルドシートに乗せる場合、傘を開いたまま不安定な姿勢で片手で乗せる、傘を閉じて保護者、乳幼児ともに傘のない状態で乗せるなどの手段を取る以外に方法はなく、そのいずれの方法も保護者はもとより乳幼児も濡れてしまい困っていた。【０００３】例えば、雨天時に利用者が自動車に荷物を積み込む場合に傘を開いたまま、または傘を閉じて積み込むが、そのいずれの方法も利用者および荷物が濡れてしまい困っていた。【０００４】例えば、利用者がマンション等の玄関口、電車内等で閉じた状態の傘を立てかけておきたい場合、その不安定な傘の形状により、すぐにスリップして倒れてしまうことがあり困っていた。【０００５】従来の技術により製造過程で傘に施された保持具では、常時使用している市販の傘に、必要に応じて簡単に着脱が出来ないという問題点があった。
以下、従来の傘保持具について説明する。
【特許文献１】特開平１４−１５９３１１号広報（図１、図７、図８）
【特許文献２】特開平１６−２０１８０３号広報（図４、図５）
【特許文献３】特開平１６−８２９８３号広報（図２）
【特許文献４】特開平１４−３１５６１６号広報（図１、図４）
【特許文献５】特開平１７−２１５４０号広報（図１０）
【特許文献６】特開平１４−７８９６号広報（図１、図２）
【発明の開示】
【発明が解決しようとする課題】
【０００６】傘を開いた状態、すなわち垂直方向に保持しておくことが可能であり、かつその保持角度が自在に変えられる、平常の風雨に耐えられる吸着強度を兼ね備えた、傘への着脱が簡単な保持具が必要である。【０００７】傘を閉じた状態または傘以外でも、その保持具が有効に利用できる汎用性を考慮すると着脱が容易であること、自在の保持角度は３６０°であること必要とする。
【課題を解決するための手段】
【０００８】解決しようとする課題を考慮した結果、請求項１の着脱式磁石付自在保持具には、ばね式で開口部を開閉する仕組みになっており、その内部には回動規制機構を備えることにより自在の角度が保持でき、底部に取付けられた磁石により自動車の屋根、扉、建物や電車の壁面金属部分に吸着が可能となる仕組みとしたことが特徴である。
【発明の効果】
【０００９】請求項１に関わる発明により、着脱式磁石付自在保持具をＪ型傘の柄に取付けることで、例えば雨天時に保護者が乳幼児を自動車のチャイルドシートに座らせる場合、開いたままの傘を自動車の屋根またはドアの任意の金属部分に垂直に吸着させ自由な角度で固定保持できることで、保護者は自身および乳幼児を濡らすことなく両手を使って座らせることができる。【００１０】例えば、利用者がマンション等の玄関口、電車内等で閉じた状態の傘を立てかけておきたい場合、Ｊ型傘の柄に着脱式磁石付自在保持具を取付けることで、それら被吸着面の金属部分にスリップすることなく保持できる。【００１１】着脱式磁石付自在保持具はばね式の開閉方法を採用することにより、回動規制機構を備えることが可能となり３６０°自在の方向に保持させることが可能なため、任意方向の壁や天井金属部分に吸着させることができ、空間を効果的に利用することができる。【００１２】傘以外の応用では、着脱式磁石付自在保持具をタペストリーや広告旗などをあしらった棒に取付けると金属部分のどの場所にも自由な角度で装飾することが可能である。
【発明を実施するための最良の形態】以下、本発明に関わる着脱式磁石付自在保持具及び傘の形態について詳細に説明する。図４〜図６は、本発明に関わる代表的な実施形態である。【００１３】着脱式磁石付自在保持具は、図１に示すように吸着装置である磁石Ａが回動規制機構Ｂを備えた本体Ｃと固定されており、Ｂの開口部内には、ばねにより開閉する着脱機能を備えたＤが組み込まれている。【００１４】ばね式開閉部の上部Ｅを押下することで開口部Ｂが最大開口になった時、Ｊ型傘の柄Ｆを差し込み、そのカーブの中央部分でＥの押下を解除する。【００１５】ばね式開閉部Ｅも押下を解除するとともに開口部ＢがＪ型傘の柄の直径の大きさで取り付けが図２のように完了する。【００１６】着脱式磁石付自在保持具を外す場合は、ばね開閉部の上部Ｅを押下して開口部Ｂを開放し、Ｊ型傘の柄を外す仕組みであり、その着脱の容易さが本発明の一つの大きな特徴である。【００１７】図２および図３は、着脱式磁石付自在保持具が３６０°の角度に自在に保持できることを表している。
【実施例】
【００１８】図２のような角度の場合、例えば図４のように開いた状態の傘をそのまま垂直に自動車の屋根部分に角度を微調整して吸着させることができ、体を濡らすことなく、自動車に乳幼児や荷物を乗せることができる。【００１９】図３のような角度の場合、例えば図５のように開いた状態の傘をそのまま平行に自動車のボデー部分に角度を微調整して吸着させることができ、体を濡らすことなく、自動車に乳幼児や荷物を乗せることができる。【００２０】図３のような角度の場合、例えば図６のように閉じた状態の傘をそのままマンションの玄関扉や電車内の壁に平行して吸着させることができ、空間の有効利用ができる。
【産業上の利用可能性】
【００２１】例えば傘を開いた状態で自動車の屋根に垂直に吸着させ雨に濡れずに乳幼児を乗せる目的で、本発明の着脱式磁石付自在保持具を使用する場合、市販のＪ型傘の柄に容易に着脱可能であることから、乳幼児を持つ親にとっては簡単かつ安価な道具として一家に最低一個の必需品となる。【００２２】例えば傘を閉じた状態で、マンションや電車の金属壁面に平行に吸着させる目的で本発明の着脱式磁石付自在保持具を使用する場合、市販のＪ型傘の柄に容易に着脱可能であることから、利用者は便利かつ安価な道具として必需品となる。【００２３】例えば、棒状のものに広告等を下げた場合、金属壁面、天井に吸着が可能であるので、ガソリンスタンドのガソリン供給機器に取付ける広告や工場の機械に取付ける案内板として利用可能である。
【図面の簡単な説明】
【００２４】
【図１】本発明品の実施形態に係る着脱式磁石付自在保持具の正面図である。
【図２】着脱式磁石付自在保持具をＪ型傘の柄に垂直方向に取付けた図面である。
【図３】着脱式磁石付自在保持具をＪ型傘の柄に平行方向に取付けた図面である。
【図４】図２に示す実施形態に係る傘の使用状態を示す図面である。
【図５】図３に示す実施形態に係る傘の使用状態を示す図面である。
【図６】図３に示す実施形態に係る傘の使用状態を示す図面である。
【符号の説明】
【００２６】１．  Ａ：磁石
２．  Ｂ：回動規制機構
３．  Ｃ：本体
４．  Ｄ：ばね付押下ボタン
５．  Ｅ：押下部分
６．  Ｆ：Ｊ型傘の柄
【図１】
2007054566.tif 000003
【図２】
2007054566.tif 000004
【図３】
2007054566.tif 000005
【図４】
2007054566.tif 000006
【図５】
2007054566.tif 000007
【図６】
2007054566.tif 000008